(57)【要約】【課題】スクリーンの上下側端に沿うファスナー状部材に取り付けた係合子を上下枠のインナーレールのスリットに摺動自在に係合保持させる横引きのスクリーン装置において、ファスナー状部材及びインナーレールの構造等の僅かな改善のみによって、スクリーンの展張時における弛みを可及的に抑制できるようにする。【解決手段】スクリーンの上下両側端に係合子１２を列設したファスナー状部材１０を取り付け、該係合子を上下枠におけるインナーレール１４のスリット１５に係合させたスクリーン装置において、ファスナー状部材１０における帯状体１１の曲げに対する弾性復帰力が、スクリーンの曲げに対する弾性復帰力よりも大きく、また、スクリーン枠の上下枠４，５におけるインナーレールのスリットを、それに係合させるファスナー状部材を、本来のスクリーン張設面に対して傾斜させて係合するものとする。【選択図】図２
2020084567.tif 000002
【特許請求の範囲】
【請求項１】
スクリーンを横引きで巻き取り可能にした巻取軸を備え、該スクリーンの上下両側端に沿って、可撓性の帯状体の一側に多数の係合子を列設したファスナー状部材を、その係合子を列設した一側をそれぞれ外側に向けて取り付け、該係合子をスクリーン枠における上下枠に保持させたインナーレールのスリットに摺動自在に係合させて、該スクリーンの上下端を、上記スクリーン枠に保持させると共に該スクリーン枠の上下枠に沿って開閉操作可能にした横引き収納式スクリーン装置において、
上記ファスナー状部材における帯状体は、その曲げに対する弾性復帰力が、該帯状体と連結しているスクリーンの曲げに対する弾性復帰力よりも大きなものとして構成され、
上記スクリーン枠の上下枠におけるインナーレールのスリットの少なくとも一方を、それに係合させる上記ファスナー状部材が、相対する上下のインナーレール間を平面的に繋ぐ本来のスクリーン張設面に対して傾斜させて係合され、且つ該ファスナー状部材が該スリットによりインナーレールに対し自立するものとして保持されている、
ことを特徴とする横引き収納式スクリーン装置。
【請求項２】
請求項１に記載の横引き収納式スクリーン装置において、
上記スクリーン枠におけるインナーレールに、スリットを本来のスクリーン張設面に対して傾斜させて開設しようとする方向に対し直交するスリット開設面を設け、該スリット開設面に上記スリットを開設しようとする方向のスリットを開設することにより、上記ファスナー状部材を該スリットの開設方向に対して傾斜させて係合保持可能にしている、
ことを特徴とする横引き収納式スクリーン装置。
【請求項３】
請求項１に記載の横引き収納式スクリーン装置において、
上記スクリーン枠におけるインナーレールの任意部位に、本来のスクリーン張設面に対して傾斜させたスリットを開設することにより、上記ファスナー状部材を該スリットの開設方向に対して傾斜させて係合保持可能にしている、
ことを特徴とする横引き収納式スクリーン装置。
【発明の詳細な説明】
【技術分野】
【０００１】
本発明は、横引き収納式スクリーンの展張時における弛みを可及的に抑制できるようにしたスクリーン装置に関するものである。
【背景技術】
【０００２】
従来から、横引きでスクリーンを巻取軸に巻き取るようにし、しかもそのスクリーンの上下端に沿って、可撓性の帯状体の一側に多数の係合子（ムシ部）を列設したファスナー状部材を取り付け、その係合子をスクリーン枠における上下枠に保持させたインナーレールのスリットに摺動自在に係合させて、該スクリーンの上下端を保持させると共に、該スクリーンの上下端を通して虫類が浸入するのも抑制できるようにした収納式スクリーン装置は、多数の特許文献にも開示され、極めて一般的に知られている。
【０００３】
しかしながら、上述したようなスクリーン装置において、スクリーンの導出端に取り付けてその開閉に供する可動框をスムーズに操作可能にするためには、スクリーンの上下端のファスナー状部材と上下枠のインナーレールとの間に引張力が作用することがなく、それらの間に余裕を持たせておくことが必要であり、しかしこの余裕をもたせると必然的にスクリーンに弛みが生じることになる。そのため、一定形状のパネル枠内にスクリーンを張設したものと比較すると、スクリーンに張りがない点で見劣りする可能性がある。
【０００４】
また、特に巻取り収納式のスクリーン装置において用いるスクリーンは、それを巻き取りやすくすることが望まれることから、上記パネル枠等に張設するスクリーンよりも柔軟性が付与されたものを用いることが多く、そのため、スクリーンを設計寸法に裁断しようとしても、その裁断寸法にバラツキが生じやすく、このバラツキによるスクリーンの弛みを無くすことも考慮する必要がある。
【発明の概要】
【発明が解決しようとする課題】
【０００５】
本発明の技術的課題は、上述したように、横引きで巻取軸に巻き取るスクリーンの上下側端に沿って多数の係合子を列設したファスナー状部材を取り付け、該係合子をスクリーン枠における上下枠内のインナーレールのスリットに摺動自在に係合させて、該スクリーンの上下端を上記スクリーン枠に保持させると共に、該スクリーン枠に沿って開閉操作可能にしたスクリーン装置において、上記ファスナー状部材及び上記インナーレールの構造等の僅かな改善のみによって、上記スクリーンの展張時における弛みを可及的に抑制できるようにしたスクリーン装置を提供することにある。
【課題を解決するための手段】
【０００６】
上記課題を解決するため、本発明によれば、スクリーンを横引きで巻き取り可能にした巻取軸を備え、該スクリーンの上下両側端に沿って、可撓性の帯状体の一側に多数の係合子を列設したファスナー状部材を、その係合子を列設した一側をそれぞれ外側に向けて取り付け、該係合子をスクリーン枠における上下枠に保持させたインナーレールのスリットに摺動自在に係合させて、該スクリーンの上下端を、上記スクリーン枠に保持させると共に該スクリーン枠の上下枠に沿って開閉操作可能にした横引き収納式スクリーン装置において、上記ファスナー状部材における帯状体は、その曲げに対する弾性復帰力が、該帯状体と連結しているスクリーンの曲げに対する弾性復帰力よりも大きなものとして構成され、上記スクリーン枠の上下枠におけるインナーレールのスリットの少なくとも一方を、それに係合させる上記ファスナー状部材が、相対する上下のインナーレール間を平面的に繋ぐ本来のスクリーン張設面に対して傾斜させて係合され、且つ該ファスナー状部材が該スリットによりインナーレールに対し自立するものとして保持されていることを特徴とする横引き収納式スクリーン装置が提供される。
【０００７】
本発明に係る横引き収納式スクリーン装置の好ましい実施形態においては、上記スクリーン枠におけるインナーレールに、スリットを本来のスクリーン張設面に対して傾斜させて開設しようとする方向に対し直交するスリット開設面を設け、該スリット開設面に上記スリットを開設しようとする方向のスリットを開設することにより、上記ファスナー状部材を該スリットの開設方向に対して傾斜させて係合保持可能にしているものとして構成される。
【０００８】
また、本発明に係る横引き収納式スクリーン装置の他の好ましい実施形態においては、上記スクリーン枠におけるインナーレールの任意部位に、本来のスクリーン張設面に対して傾斜させたスリットを開設することにより、上記ファスナー状部材を該スリットの開設方向に対して傾斜させて係合保持可能にしているものとして構成される。
【０００９】
上記構成を有する横引き収納式スクリーン装置においては、ファスナー状部材における帯状体の曲げに対する弾性復帰力が、該帯状体と連結しているスクリーンの曲げに対する弾性復帰力よりも大きいことを前提とし、スクリーン枠の上下枠、又は少なくともそれらの一方におけるインナーレールのスリットに係合させるファスナー状部材を、本来のスクリーン張設面に対して傾斜させて係合するものとして構成される。
【００１０】
いずれにしても、ファスナー状部材を本来のスクリーン張設面に対して傾斜させ、且つ該ファスナー状部材を該スリット外においてインナーレールに沿わせることなく、自立するものとして保持するため、ファスナー状部材の帯状体の屈曲に伴う弾性復帰力により、スクリーン長に応じてスクリーンに部分的な緊張度のバラツキが生じるかも知れないが、帯状体の屈曲による緊張度の部分的な差異により裁断の誤差を吸収させて、比較的容易にスクリーンの展張時における弛みを可及的に抑制することができる。
【発明の効果】
【００１１】
以上に詳述した本発明の横引き収納式スクリーン装置によれば、横引きで巻取軸に巻き取るスクリーンの上下側端に沿ってファスナー状部材を取り付け、その係合子をスクリーン枠における上下枠内のインナーレールのスリットに摺動自在に係合させて、該スクリーンの上下端を上記スクリーン枠に開閉操作可能に保持させるスクリーン装置において、上記ファスナー状部材及び上記インナーレールの構造等の僅かな改善のみによって、上記スクリーンの展張時における弛みを可及的に抑制できるようにしたスクリーン装置を提供することができる。
【図面の簡単な説明】
【００１２】
【図１】本発明に係る横引き収納式スクリーン装置の外観を示す斜視図である。
【図２】本発明に係る横引き収納式スクリーン装置の第１実施例を示す要部縦断面図である。
【図３】上記第１実施例においてスクリーンの縦長さが若干長い場合の変形例を示す要部断面図である。
【図４】本発明の第１実施例において、スクリーンの上下両側端に取り付けたファスナー状部材における帯状体の曲げに対する弾性復帰力についての説明図である。
【図５】本発明の第２実施例において用いられるインナーレールの断面図である。
【発明を実施するための形態】
【００１３】
図１は、本発明に係る横引き収納式スクリーン装置の外観を示し、また、図２〜図４はその第１実施例の具体的構成を示している。
この横引き収納式スクリーン装置の基本的な構成は既知のもので、図１に示すように、スクリーン枠１は、一対の縦枠２，３と上下枠４，５とを備え、その一方の縦枠２が内部にスクリーン６を巻き取るための巻取軸を備えた巻取りボックスとして構成され、他方の縦枠３が、スクリーン６の展張状態において該スクリーン６の一端に取り付けられた操作框８が当接する受け枠として構成され、また、上記上下枠４，５は、それらの一端が巻取りボックスを構成する縦枠２の上下端に連結され、それらの他端が他方の縦枠３の上下端に連結されている。上記巻取りボックス内に備えるスクリーン６の巻取機構は、巻取軸内に設けたスプリングの付勢力でスクリーン６を該巻取軸に巻取り収納するようにした既知のものである。
【００１４】
上記スクリーン６は、図２に示すように、その上下両側端に沿って、可撓性ある帯状体１１の一側に多数の係合子１２を列設したファスナー状部材１０を、その係合子１２を列設した一側をそれぞれ外側に向けて取り付け、該係合子１２をスクリーン枠１における上下枠４，５内に保持させたインナーレール１４のスリット１５内に摺動自在に係合保持させて、該スクリーン６の上下端を、上記スクリーン枠１に保持させると共に、該スクリーン枠１の上下枠４，５に沿う摺動によって開閉操作可能にしたものである。
【００１５】
上記スクリーン装置において用いられるファスナー状部材１０としては、通常、被服等に多用されているファスナー状部材の半体等が利用され、具体的には、布状或いは組紐状で可撓性のある帯状体１１の一側に多数の係合子（ムシ部）１２が列設されたものが用いられるが、本発明においては、一般的にその帯状体１１の曲げに対する弾性復帰力が、防虫網等のスクリーン６自体の曲げに対する弾性復帰力よりも大きいことに着目して、それをスクリーンの弛みの抑制に利用しようとするものである。
【００１６】
また、上記帯状体１１の曲げに対する弾性復帰力をスクリーン６の緊張のために利用することから、上記ファスナー状部材１０をスリット１５外においてインナーレール１４等に沿わせてスクリーン６に直接的に引張力を付与したりすることなく、少なくとも、図４に示すように、帯状体１１を上記スリット１５によりインナーレール１４に対して自立するものとして保持させ、その帯状体の屈曲に伴う弾性復帰力が作用していることが必要である。
【００１７】
そのために、本発明において用いる帯状体１１の曲げに対する弾性復帰力が、該帯状体１１と連結しているスクリーン６の曲げに対する弾性復帰力よりも大きいことが必要であるが、これは、既知のスクリーン装置において用いているファスナー状部材のものと格別相違するものではなく、しかしながら、本発明では、その弾性復帰力を以下に説明するインナーレール１４に対するファスナー状部材１０の係合保持構成との関連によって、スクリーン６の展張時における弛み等を可及的に抑制するのに利用できるようにしている点に大きな特徴がある。
【００１８】
一方、上記スクリーン枠１の上下枠４，５内には、それぞれインナーレール１４，１４を配設し、該上下のインナーレール１４，１４における上記スクリーン６と連結可能な範囲にあるスリット開設面１４ａに、該スクリーン６の上下端の係合子１２を摺動自在に係合させるスリット１５を設け、該スリット１５に対して前記ファスナー状部材１０の係合子１２を摺動自在に係合保持させることによって、上記スクリーン６の上下端を上記スクリーン枠１に保持させると共に、該スクリーン枠１の上下枠４，５に沿う摺動によって開閉操作可能に構成している。
【００１９】
また、上記スクリーン枠１の上下枠４，５におけるインナーレール１４のスリット１５に係合させる上記ファスナー状部材１０を本来のスクリーン張設面に対して傾斜させて係合させ、ファスナー状部材１０における帯状体１１の屈曲に伴う弾性復帰力を利用するためには、ファスナー状部材１０をインナーレール１４のスリット１５に係合保持させる際に、ファスナー状部材１０における帯状体１１が該スリット１５によりインナーレール１４に対して自立するものとして保持されていることが必要である。
【００２０】
上述のような横引き収納式スクリーン装置においては、通常、スクリーン枠１の上下枠４，５におけるインナーレール１４が、互いに相対向する位置に配設され、それらに設けた相対向する位置のスリットに、スクリーンの両端に設けたファスナー状部材の係合子を係合させているが、本発明においては、その構成を、以下に説明する実施例のように、上下枠４，５内のインナーレール１４におけるスリット１５に対し、スクリーン６の上下端のファスナー状部材１０を、相対する上下のインナーレールのスリット間を平面的に繋ぐ本来のスクリーン張設面に対して傾斜させて係合保持させるものとしている。
【００２１】
これを更に具体的に説明すると、図２に示す第１実施例においては、相対する上下のインナーレール１４，１４間を平面的に繋ぐ本来のスクリーン張設面に対して平行するところの、該インナレール１４の側面をスリット開設面１４ａとして、そこに本来のスクリーン張設面と直交する方向に向けたスリット１５を開設している。
【００２２】
この場合に、そのスリット１５に係合子１２を係合させた帯状体１１及びスクリーン６は、上下枠４，５間に平面状に張設することはできず、部分的に屈曲或いは湾曲させることになるが、予めスクリーン６自体の上下方向長さを調整し、上記ファスナー状部材１０における帯状体１１の曲げに対する弾性復帰力が、該帯状体１１と連結しているスクリーン６を上下枠４，５間に適度の緊張状態で張設できるように設定しておけば、上記帯状体１１の曲げに対する弾性復帰力を有効に利用して、スクリーン６の弛みを可及的に抑制してその張設を行うことができる。
【００２３】
このようにしてスクリーン６の張設を行うと、前述した既存のスクリーン装置の製造段階における、スクリーン６を上下枠４，５間に張設するための一定長の該スクリーンの裁断に際し、スクリーン６の長さに若干の誤差やバラツキがあった場合の不都合に比して、上述した帯状体１１の屈曲に伴う弾性復帰力により、スクリーン６に部分的な緊張度のバラツキが生じるかも知れないが、帯状体１１の屈曲による緊張度の部分的な差異により裁断の誤差を吸収させて、比較的容易にスクリーンの展張時における弛みを可及的に抑制することができる。図３は、図２の状態に張設されたスクリーン６に比して、スクリーン６の縦長さが若干長い部位においてスクリーン６が帯状体１１の屈曲により緩く屈曲している状態を模式的に示すものである。
【００２４】
なお、上述した本発明の第１実施例では、相対する上下のインナーレール間を平面的に繋ぐ本来のスクリーン張設面に対して平行するところの、インナレール１４の側面側のスリット開設面１４ａに、本来のスクリーン張設面と直交する方向に向けたスリット１５を開設した構成を例示しているが、上記スリット開設面１４ａは本来のスクリーン張設面に対して任意角度に設定することができ、例えば、図５の第２実施例におけるインナーレール２４のように、傾斜したスリット開設面２４ａに、それと直交する方向にファスナー状部材を係合させるスリット１５を開設することもできる。
【００２５】
また、上記本来のスクリーン張設面に対して傾斜させたスリット１５は、スクリーン枠１におけるインナーレール１４の任意部位に、所期の方向に開設することにより、上記ファスナー状部材１０を該スリット１５の開設方向に対して傾斜させて係合保持するものとして構成することもできる。
【００２６】
なお、本発明に基づくスクリーン６の弛みの抑制は、スクリーン枠１の上下の対向する枠４，５におけるインナーレール１４とそれに係合させるファスナー状部材１０について適用するのが望ましいが、上述したように、少なくとも上下の枠４，５の一方に適用することによっても、スクリーン６の弛みの抑制効果を期待することができるのは勿論である。
【００２７】
このように、本発明に基づくスクリーンの緊張力は、ファスナー状部材１０によって保持されているスクリーン６の全幅に対して均等になるわけはなく、帯状体の湾曲程度はスクリーンの幅方向に変動することになるにしても、全般的にスクリーンが引っ張られることになれば、スクリーンの弛みや皺が目立たないものになる。
【符号の説明】
【００２８】
１    スクリーン枠
４，５    上下枠
６    スクリーン
１０    ファスナー状部材
１１    帯状体
１２    係合子
１４    インナーレール
１４ａ    スリット開設面
１５    スリット
【図１】
2020084567.tif 000003
【図２】
2020084567.tif 000004
【図３】
2020084567.tif 000005
【図４】
2020084567.tif 000006
【図５】
2020084567.tif 000007